(57)【要約】【課題】給紙トレイを装置本体に装着した状態でも、用紙の継ぎ足しが容易にできる画像記録装置を得る。【解決手段】排紙口１０ａを塞ぐ閉塞位置と、排紙口１０ａを開放する開放位置との間で揺動可能に支持されたカバー部材４１を設ける。また、カバー部材４１の揺動により、カバー部材４１が閉塞位置にあるときに、給紙ローラ６ｂを用紙Ｐから離間する方向にアーム部材６ａを揺動させ、開放位置にあるときに、給紙ローラ６ｂを用紙Ｐに接触させるリンク部材４２を設ける。また、カバー部材４１が開放位置にあるとき、カバー部材４１は装置本体の外側に突出している給紙トレイ３を覆うようにした。リンク部材４２は、揺動可能に支持され、カバー部材４１の揺動により揺動して、給紙ローラ６ｂを用紙Ｐから離間する方向にアーム部材６ａを揺動させる。カバー部材４１は、開放位置で排紙トレイを兼用する。【選択図】図３
2008007311.tif 000002
【特許請求の範囲】
【請求項１】
用紙が載置される給紙トレイと、
略Ｕ字状の前記用紙の搬送経路に配置され前記用紙に画像を記録する記録機構と、
一端が揺動可能に支持されたアーム部材と、
該アーム部材の他端に回転可能に支持されると共に、前記給紙トレイの前記用紙に接触して前記用紙を前記記録機構に送給する給紙ローラと、
前記記録機構からの前記用紙が排出され、前記給紙トレイの上側の装置本体に開口した排紙口が設けられた排紙部と、
を備えた画像記録装置において、
前記給紙トレイは、少なくとも一部が前記装置本体の外側に突出され、
また、前記排紙口を塞ぐ閉塞位置と、前記排紙口を開放する開放位置との間で揺動可能に支持されたカバー部材と、
該カバー部材の揺動により、前記カバー部材が閉塞位置にあるときに、前記給紙ローラを前記用紙から離間する方向に前記アーム部材を揺動させ、前記開放位置にあるときに、前記給紙ローラを前記用紙に接触させるリンク部材と、
を備えたことを特徴とする画像記録装置。
【請求項２】
前記カバー部材が開放位置にあるとき、前記カバー部材は前記装置本体の外側に突出している前記給紙トレイを覆うことを特徴とする請求項１に記載の画像記録装置。
【請求項３】
前記リンク部材は、揺動可能に支持され、前記カバー部材の揺動により揺動して、前記給紙ローラを前記用紙から離間する方向に前記アーム部材を揺動させることを特徴とする請求項１又は請求項２のいずれかに記載の画像記録装置。
【請求項４】
前記リンク部材は、前記用紙の搬送方向と平行に摺動可能に支持され、前記カバー部材の揺動により摺動して、前記リンク部材のカム部と前記アーム部材との係合により、前記給紙ローラを前記用紙から離間する方向に前記アーム部材を揺動させることを特徴とする請求項１又は請求項２のいずれかに記載の画像記録装置。
【請求項５】
前記給紙トレイは、前記装置本体に収納される収納位置と、前記装置本体の外側に突出した突出位置との間で伸縮可能であることを特徴とする請求項１ないし請求項４のいずれかに記載の画像記録装置。
【請求項６】
前記カバー部材は、前記開放位置で排紙トレイを兼用することを特徴とする請求項１ないし請求項５のいずれかに記載の画像記録装置。
【発明の詳細な説明】
【技術分野】
【０００１】
本発明は、給紙トレイに載置された用紙を搬送して、用紙に画像を記録する画像記録装置に関する。
【背景技術】
【０００２】
従来より、画像記録装置では、給紙トレイに載置された用紙を一枚ずつ搬送経路に送り、搬送経路上に配置された記録機構により、搬送経路を搬送された用紙に画像を記録し、更に、搬送経路を介して排紙トレイに用紙を排出している。
【０００３】
その際、特許文献１にあるように、給紙トレイに着脱可能なカセット式のものを用い、用紙を載置した給紙トレイを装置本体に装着するようにしている。給紙トレイに載置された用紙は、用紙に接触され回転する給紙ローラにより一枚ずつ搬送経路に搬送される。また、給紙トレイを装置本体から取り外した際には、安全のために装置の駆動を停止するようにしている。
【特許文献１】特開平１１−５６３４号公報
【発明の開示】
【発明が解決しようとする課題】
【０００４】
しかしながら、こうした従来の画像記録装置では、用紙を継ぎ足す場合、給紙トレイを装置本体から一旦取り外し、給紙トレイに用紙を補充した後、再び給紙トレイを装置本体に装着するようにしている。即ち、給紙トレイを装置に装着した状態では、給紙トレイに載置した用紙には、給紙ローラが接触しているので、給紙トレイを装置に装着したままで、用紙を継ぎ足そうとしても、積載された用紙と、その上に付勢されて接触している給紙ローラとの間に継ぎ足す用紙を通す必要があり、給紙ローラの付勢力が強かったり、用紙の腰が弱いと、用紙が座屈してしまい、給紙ローラより奥に用紙を挿入することができず、用紙の継ぎ足しが困難であるという問題があった。
【０００５】
本発明の課題は、給紙トレイを装置本体に装着した状態でも、用紙の継ぎ足しが容易にできる画像記録装置を提供することにある。
【課題を解決するための手段】
【０００６】
かかる課題を達成すべく、本発明は課題を解決するため次の手段を取った。即ち、用紙が載置される給紙トレイと、略Ｕ字状の前記用紙の搬送経路に配置され前記用紙に画像を記録する記録機構と、一端が揺動可能に支持されたアーム部材と、該アーム部材の他端に回転可能に支持されると共に、前記給紙トレイの前記用紙に接触して前記用紙を前記記録機構に送給する給紙ローラと、前記記録機構からの前記用紙が排出され、前記給紙トレイの上側の装置本体に開口した排紙口が設けられた排紙部と、を備えた画像記録装置において、前記給紙トレイは、少なくとも一部が前記装置本体の外側に突出され、また、前記排紙口を塞ぐ閉塞位置と、前記排紙口を開放する開放位置との間で揺動可能に支持されたカバー部材と、該カバー部材の揺動により、前記カバー部材が閉塞位置にあるときに、前記給紙ローラを前記用紙から離間する方向に前記アーム部材を揺動させ、前記開放位置にあるときに、前記給紙ローラを前記用紙に接触させるリンク部材と、を備えたことを特徴とする画像記録装置がそれである。
【０００７】
前記カバー部材が開放位置にあるとき、前記カバー部材は前記装置本体の外側に突出している前記給紙トレイを覆うように構成してもよい。また、前記リンク部材は、揺動可能に支持され、前記カバー部材の揺動により揺動して、前記給紙ローラを前記用紙から離間する方向に前記アーム部材を揺動させる構成としてもよい。あるいは、前記リンク部材は、前記用紙の搬送方向と平行に摺動可能に支持され、前記カバー部材の揺動により摺動して、前記リンク部材のカム部と前記アーム部材との係合により、前記給紙ローラを前記用紙から離間する方向に前記アーム部材を揺動させる構成としてもよい。
【０００８】
前記給紙トレイは、前記装置本体に収納される収納位置と、前記装置本体の外側に突出した突出位置との間で伸縮可能である構成としてもよい。また、前記カバー部材は、前記開放位置で排紙トレイを兼用する構成としてもよい。
【発明の効果】
【０００９】
本発明の画像記録装置は、カバー部材を閉塞位置と開放位置との間で揺動して、カバー部材の揺動に応じてリンク部材を介してアーム部材を揺動させて、カバー部材を閉塞位置にしたときには、給紙ローラが用紙から離間されて、用紙を容易に継ぎ足すことができ、カバー部材を開放位置にしたときには、給紙ローラが用紙に接触して給紙可能となるという効果を奏する。
【００１０】
カバー部材を開放位置にしたときに、給紙トレイを覆うようにすると、給紙トレイが覆われて塵埃の侵入が防止され、給紙中の異物の混入を防ぐことができる。リンク部材を揺動可能とすると、簡単な構成でアーム部材を揺動できる。また、リンク部材を摺動可能とすると、同様に簡単な構成でアーム部材を揺動できる。更に、給紙トレイを伸縮可能とすると、収納位置ではコンパクトになり、突出位置にあるときには、カバー部材により給紙トレイを覆うことができる。カバー部材が排紙トレイを兼用すると、装置が小型化される。
【発明を実施するための最良の形態】
【００１１】
以下本発明を実施するための最良の形態を図面に基づいて詳細に説明する。
図１は、本実施形態のカバー部材４１を閉塞位置とし、給紙トレイ３を収納位置とした状態の画像記録装置１５を用いた複合機１の外観を表す斜視図であり、図２は、本実施形態のカバー部材４１を被覆位置とし、給紙トレイ３を突出位置とした状態の画像記録装置１５を用いた複合機１の外観を表す斜視図であり、図３は図２の状態での複合機１の拡大側断面図である。なお、以下の説明においては、図１及び図２に図示する状態を基準として上下方向を表現し、後述する給紙トレイ３の設けられている側を手前側（前）として前後方向を表現し、複合機１を手前側（正面）から見て左右方向を表現する。
【００１２】
この複合機１は、画像記録機能、画像読取機能、カラーコピー機能、ファクシミリ機能等を有したものであり、図１〜図３に示すように、合成樹脂製の装置本体２の上部に、原稿の読み取りに用いられる画像読取装置１２が設けられている。
【００１３】
画像読取装置１２は、シートフィード式のもので、上下一対の原稿送りローラ１４、上下一対の原稿排出ローラ１６により、原稿を送り、原稿送りローラ１４と原稿排出ローラ１６との間に配置された原稿読み取り用の密着型イメージセンサ１８により原稿に記載されている画像を読み取り、画像信号を出力するものである。
【００１４】
一方、画像読取装置１２の下方の装置本体２には画像記録装置１５が設けられており、被記録媒体としての用紙Ｐを給紙するための給紙部１１が装置本体２の底部に設けられている。この給紙部１１には、上方が開口された箱状で、用紙Ｐを載置した状態で収容する給紙トレイ３が、装置本体２の前側に形成された開口部２ａを介して、装置本体２に対し前後方向に着脱可能に設けられている。
【００１５】
本実施形態において、給紙トレイ３は、Ａ４サイズ、レターサイズ、リーガルサイズ、はがきサイズ等の用紙Ｐをその短辺（幅）が搬送方向（前後方向、矢印Ａ方向）と直交する方向（左右方向）に延びる向きで複数枚載置して収容可能に構成されている。なお、本実施形態において、「用紙」とは、記録がなされるものであれば、紙のみならず、樹脂や金属等の被搬送体全てを含むものとする。
【００１６】
そして、図３に示すように、給紙トレイ３の奥側（後端部側）には、用紙分離用の傾斜分離板８が配置されている。この傾斜分離板８は、用紙Ｐの幅方向（左右方向）中央部において突出し、用紙Ｐの幅方向左右両端部側へ向かうに従って後退するように平面視で凸湾曲状に形成されており、用紙Ｐの幅方向中央部には、用紙Ｐの先端縁に当接して分離を促進するための鋸歯状の弾性分離パッド（図示せず）が設けられている。
【００１７】
また、給紙部１１において、装置本体２側には、給紙トレイ３から用紙Ｐを給紙するためのアーム部材６ａの一端が、用紙Ｐと平行な支持軸６ｄの廻りに、上下方向に揺動可能に支持され、このアーム部材６ａの他端に回転可能に支持された給紙ローラ６ｂには、アーム部材６ａ内に設けられた歯車伝達機構６ｃにより、図示しない搬送モータからの回転駆動力が伝達される。
【００１８】
アーム部材６ａは、給紙ローラ６ｂ等の自重や図示しないバネ等の付勢力により、給紙ローラ６ｂを給紙トレイ３に載置された用紙Ｐに接触させる。そして、この給紙ローラ６ｂと前述した傾斜分離板８の弾性分離パッドとが協動して、給紙トレイ３に積載された用紙Ｐを１枚ずつ分離搬送する。
【００１９】
こうして搬送方向（矢印Ａ方向）に沿って進むように分離された用紙Ｐは、第１搬送路体３０と第２搬送路体３２との間隙に形成された横向き略Ｕ字状の搬送経路９に搬送され、給紙トレイ３の上方に設けられた記録機構７に給送される。
【００２０】
記録機構７は、下面からインクを吐出することで用紙Ｐに画像を記録するインクジェット式の記録ヘッド４と、この記録ヘッド４が搭載され、図３の紙面に垂直な方向に往復動可能なキャリッジ５とを備えている。記録機構７において、キャリッジ５における記録ヘッド４の下面には、左右方向に延びる扁平状であって、記録ヘッド４と対向するように用紙Ｐを下方から支持するプラテン２６が設けられている。
【００２１】
そして、図３に示すように、プラテン２６の排紙方向（矢印Ｂ方向）上流側には、用紙Ｐをプラテン２６の上面（記録ヘッド４の下面）に搬送するための搬送（レジスト）ローラとして、駆動ローラ３４と、この駆動ローラ３４に下方から対向するニップローラ３６とが配置されている。また、プラテン２６の排紙方向（矢印Ｂ方向）下流側には、記録機構７を経た用紙Ｐを排紙方向に沿って排紙部１０に搬送するように駆動される排紙ローラ２８と、これに対向して排紙ローラ２８側に付勢された拍車ローラ２９とが配置されている。
【００２２】
一方、記録機構７にて画像が記録された用紙Ｐがその記録面を上向きにして排出される排紙部１０は、給紙部１１の上側に配置され、排紙口１０ａが装置本体２の前面の開口部２ａと共通にして開口されている。そして、排紙部１０から排紙方向（矢印Ｂ方向）に排出された用紙Ｐは、開口部２ａの内部側に位置する排紙トレイ１０ｂ上に積載収容される。
【００２３】
給紙トレイ３には、装置本体２の前面側に取手部３ａが形成されており、載置される用紙Ｐと平行方向に伸縮可能に形成されている。給紙トレイ３は、図１に示すように、取手部３ａが装置本体２の前面とほぼ同じ面上に引き込まれた収納位置から、取手部３ａを掴んで装置本体２の前面側に引き出すことにより、図２に示すように、給紙トレイ３の少なくとも一部が装置本体２の前面側の外側に突き出されて、上側が開いた開口部３ｂが形成される突出位置との間で、伸縮可能に形成されている。尚、図３では収納位置の取手部３ａを細線で示している。
【００２４】
装置本体２の外側に突き出された状態の給紙トレイ３には、本実施形態では、Ａ４サイズの用紙Ｐが載置でき、その際、Ａ４サイズの用紙Ｐの一部は給紙トレイ３の開口部３ｂにを介して露出された状態になる。
【００２５】
装置本体２の前面側には、カバー部材４１が揺動可能に支持されている。カバー部材４１はほぼ平板状に形成されており、カバー部材４１の左右方向の幅は装置本体２の開口部２ａの左右方向の幅とほぼ同じに形成されている。給紙トレイ３の開口部３ｂと、排紙部１０の排紙口１０ａとは、左右方向では、ほぼ同じ位置にあり、開口部３ｂは上方に開口し、排紙口１０ａは前方に開口しており、約９０度前後の角度をなして形成されている。
【００２６】
図４は本実施形態のカバー部材４１、リンク部材４２、アーム部材６ａ、給紙ローラ６ｂの斜視図であり、図５は本実施形態の揺動するカバー部材４１とアーム部材６ａとの関係を示す説明図である。図４及び図５に示すように、カバー部材４１の下端の左右方向両側には、一対の支点軸４１ａ（一方のみ図示する）がアーム部材６ａの支持軸６ｄと平行に形成されている。
【００２７】
カバー部材４１が開口部２ａ内に挿入されて、カバー部材４１の支点軸４１ａが装置本体２に支持されて、カバー部材４１が装置本体２に支点軸４１ａの廻りに揺動可能に支持されている。
【００２８】
カバー部材４１は、図１及び図３に細線で示すように、上下方向に立てられた状態に揺動された閉塞位置にある際には、排紙口１０ａ（開口部２ａ）を塞ぐように形成されている。また、図１及び図３に実線で示すように、前側にほぼ水平に倒された状態に揺動された被覆位置（排紙口１０ａ又は開口部２ａの開放位置）にある際には、給紙トレイ３の開口部３ｂを覆うように形成されている。カバー部材４１により給紙トレイ３の開口部３ｂを覆うようにすると、給紙トレイ３の開口部３ｂが覆われて塵や埃の侵入が防止され、用紙Ｐの給紙中に異物が混入するのを防ぐことができる。
【００２９】
カバー部材４１は閉塞位置と被覆位置との間で揺動可能に支持されており、特に、立てられた状態となる閉塞位置では外力が加わらなければ、その状態に保持できるように、バネ付勢力等を利用した保持機構を設けてもよく、あるいは、アーム部材６ａの付勢力を利用して保持するようにしてもよい。
【００３０】
図４及び図５に示すように、カバー部材４１には、アーム部４１ｂが一体的に形成されており、アーム部４１ｂは平坦なカバー部材４１の延長方向に突出されている。このアーム部４１ｂの先端にはピン部４１ｃが支点軸４１ａと平行に突出形成されている。
【００３１】
装置本体２には、棒状のリンク部材４２が揺動ピン４２ａの廻りに揺動可能に支持されて、リンク部材４２は用紙Ｐの搬送方向と平行に配置されている。揺動ピン４２ａは支点軸４１ａと平行に配置されており、リンク部材４２の一端はアーム部４１ｂのピン部４１ｃの下側に接触されている。
【００３２】
リンク部材４２の他端は、アーム部材６ａから突出され、アーム部材６ａに一体的に形成された突部６ｅに接触されている。突部６ｅは、本実施形態では、ほぼ下方に向かって突出されており、突部６ｅがリンク部材４２の他端の上側に接触されている。
【００３３】
図５（ａ）に示すように、カバー部材４１を立てて閉塞位置としたときには、アーム部４１ｂ、ピン部４１ｃを介して、リンク部材４２の一端を下方に押し下げる。これにより、リンク部材４２は揺動ピン４２ａの廻りに揺動して、リンク部材４２の他端が突部６ｅを上方に押し上げて、アーム部材６ａを支持軸６ｄの廻りに付勢力に抗して揺動して、給紙ローラ６ｂを用紙Ｐから離間させる。
【００３４】
また、図５（ｂ）に示すように、カバー部材４１を水平にした被覆位置としたときには、リンク部材４２の他端がアーム部材６ａの付勢力により突部６ｅを介して押し下げられ、リンク部材４２が揺動ピン４２ａの廻りに揺動し、また、給紙ローラ６ｂが給紙トレイ３に載置されている用紙Ｐに接触する。その際、リンク部材４２の一端と、アーム部４１ｂのピン部４１ｃとの間には多少の隙間があるように配置されている。
【００３５】
次に、前述した本実施形態の画像記録装置１５の作動について説明する。
まず、Ａ４サイズの用紙Ｐに画像を記録する際には、給紙トレイ３に用紙Ｐを載置して、装置本体２に給紙トレイ３を装着する。その際、取手部３ａが引き出されて、給紙トレイ３を伸長した突出位置とされ、給紙トレイ３の一部が装置本体２の外側に突き出されて開口部３ｂが装置本体２の外側で、かつ上方に開いている。
【００３６】
給紙トレイ３を装置本体２に装着する際には、給紙トレイ３の図示しないカム部がアーム部材６ａの突部６ｅに接触し、アーム部材６ａを揺動させて給紙ローラ６ｂを持ち上げる。そして、給紙ローラ６ｂの下側を通過させて、給紙トレイ３を装置本体２に装着する。装着を完了すると、アーム部材６ａの突部６ｅは給紙トレイ３のカム部から離れ、アーム部材６ａが揺動して、給紙ローラ６ｂが用紙Ｐに接触する。
【００３７】
また、カバー部材４１を支点軸４１ａの廻りに揺動して被覆位置とし、カバー部材４１により開口部３ｂを塞ぎ、給紙トレイ３を覆う。カバー部材４１を被覆位置に揺動すると、図５（ｂ）に示すように、リンク部材４２はアーム部材６ａの付勢力により、リンク部材４２が揺動ピン４２ａの廻りに揺動し、給紙ローラ６ｂが給紙トレイ３に載置されている用紙Ｐに接触する。
【００３８】
用紙Ｐに記録する際には、給紙トレイ３からの用紙Ｐを給紙ローラ６ｂと傾斜分離板８の弾性分離パッドとにより、用紙Ｐを１枚ずつ分離搬送する。用紙Ｐは、搬送経路９を介して記録機構７に給送され、画像読取装置１２により読み取った画像データ等に応じて、記録ヘッド４からインクが吐出され、用紙Ｐに画像を記録する。記録機構７を経た用紙Ｐは搬送経路９に沿って排紙部１０に搬送される。
【００３９】
排紙部１０に搬送された用紙Ｐは、排紙トレイ１０ｂ上に排出される。その際、用紙Ｐの先端は、カバー部材４１上にも達し、用紙Ｐは排紙トレイ１０ｂとカバー部材４１とに跨って載置され、カバー部材４１が排紙トレイとしても兼用される。
【００４０】
給紙トレイ３上の用紙Ｐを消費して、給紙トレイ３にＡ４サイズの用紙Ｐを継ぎ足す際には、まず、カバー部材４１を被覆位置から閉塞位置に揺動する。これにより、給紙トレイ３の開口部３ｂが開口すると共に、図５（ａ）に示すように、リンク部材４２の一端がアーム部４１ｂのピン部４１ｃにより押し下げられて揺動ピン４２ａの廻りに揺動する。
【００４１】
リンク部材４２の揺動により、リンク部材４２の他端がアーム部材６ａの突部６ｅを押し上げ、アーム部材６ａを支持軸６ｄの廻りに揺動して、給紙ローラ６ｂを用紙Ｐあるいは給紙トレイ３の載置面から離間させる。
【００４２】
これにより、給紙ローラ６ｂと用紙Ｐあるいは給紙トレイ３の載置面との間には隙間ができる。給紙トレイ３の開口部３ｂから用紙Ｐを差し込み、給紙トレイＰ上の用紙Ｐあるいは給紙トレイ３の載置面に沿って挿入する。その際、用紙Ｐの先端が給紙ローラ６ｂに当たることがないので、用紙Ｐを容易に継ぎ足すことができる。
【００４３】
例えば、用紙Ｐの先端が給紙ローラ６ｂに当たってしまうと、アーム部材６ａの付勢力が抵抗となって、用紙Ｐの腰が折れたりする。また、用紙Ｐの腰が弱いものでは、腰折れが発生して、用紙Ｐの継ぎ足しが困難なものとなる。
【００４４】
給紙ローラ６ｂと用紙Ｐあるいは給紙トレイ３の載置面との間に、隙間を形成すると用紙Ｐの腰が弱いものでも、容易に用紙Ｐを継ぎ足すことができる。用紙Ｐを継ぎ足した後、カバー部材４１を支点軸４１ａの廻りに揺動して被覆位置とし、開口部３ｂを塞ぎ、給紙トレイ３を覆う。これにより、開口部３ｂがあっても、開口部３ｂからの塵や埃等の異物の侵入を防止できる。
【００４５】
カバー部材４１を被覆位置に揺動すると、図５（ｂ）に示すように、リンク部材４２はアーム部材６ａの付勢力により、リンク部材４２が揺動ピン４２ａの廻りに揺動し、給紙ローラ６ｂが用紙Ｐに接触する。給紙ローラ６ｂが回転されると、再び、用紙Ｐが搬送経路９に沿って搬送される。
【００４６】
用紙Ｐを継ぎ足した後、カバー部材４１を被覆位置に揺動するのを忘れ、カバー部材４１が閉塞位置にある状態で記録動作を行った場合、リンク部材４２の他端がアーム部材６ａの突部６ｅを押し上げ、給紙ローラ６ｂを用紙Ｐから離間させた状態のままにある。従って、給紙ローラ６ｂを回転させても用紙Ｐは搬送されず、用紙Ｐに画像の記録は行われない。
【００４７】
仮に、カバー部材４１が閉塞位置にある状態で、用紙Ｐが搬送されてしまうと、排紙部１０に搬送された用紙Ｐがカバー部材４１に突き当たり紙ジャムが生じてしまう。カバー部材４１が閉塞位置にあるときには、用紙Ｐが搬送されないようにすることにより、紙ジャムの発生を防止できる。
【００４８】
このように、本実施形態では、リンク部材４２を設けた簡単な構成で、用紙Ｐの継ぎ足しが容易になると共に、装置本体２の外側に突出した給紙トレイ３の開口部３ｂを覆うことができるので、塵や埃の侵入を防止できる。給紙トレイ３を圧縮して収納位置とすると、装置本体２からの給紙トレイ３の飛び出しが無くなるので、小さくなり、設置スペースが少なくてもよい。尚、収納位置の状態で、給紙トレイ３に小さなサイズの用紙Ｐを載置して、カバー部材４１を被覆位置にすると、小さなサイズの用紙Ｐに画像を記録できる。
【００４９】
図６は第２実施形態のカバー部材４１、リンク部材５１、アーム部材６ａ、給紙ローラ６ｂの斜視図であり、図７は第２実施形態の揺動するカバー部材４１とアーム部材６ａとの関係を示す説明図である。尚、前述した実施形態と同じ部材については同一番号を付して詳細な説明を省略する。
【００５０】
図６、図７に示すように、用紙Ｐの搬送方向に沿って板状のリンク部材５１が摺動可能に配置されている。リンク部材５１の一端には、上下方向に長穴５１ａが形成されており、長穴５１ａにはカバー部材４１のピン部４１ｃが摺動可能に挿入されている。
【００５１】
リンク部材５１には、アーム部材６ａの突部６ｅが接触するカム部５１ｂが形成されており、図７（ａ）に示すように、カバー部材４１を閉塞位置としたときには、リンク部材５１はピン部４１ｃにより前方に摺動される。その際、アーム部材６ａの突部６ｅとカム部５１ｂとが接触して、カム部５１ｂが突部６ｅを上方に押し上げて、アーム部材６ａを支持軸６ｄの廻りに付勢力に抗して揺動して、給紙ローラ６ｂを用紙Ｐから離間させる。
【００５２】
また、図７（ｂ）に示すように、カバー部材４１を被覆位置としたときには、アーム部材６ａの突部６ｅはカム部５１ｂの窪みに入り込み、突部６ｅとカム部５１ｂとの接触が解除される。そして、アーム部材６ａが支持軸６ｄの廻りに付勢力により揺動して、給紙ローラ６ｂが給紙トレイ３に載置されている用紙Ｐに接触する。
【００５３】
この第２実施形態の場合でも、カバー部材４１を閉塞位置としたときには、給紙トレイ３の開口部３ｂが開口され、用紙Ｐを開口部３ｂから継ぎ足すことができる。その際、リンク部材５１が前方に摺動されて、カム部５１ｂ及び突部６ｅとの係合により、アーム部材６ａが揺動されて、給紙ローラ６ｂが用紙Ｐあるいは給紙トレイ３の載置面から離間される。
【００５４】
よって、給紙ローラ６ｂと用紙Ｐあるいは給紙トレイ３の載置面との間には隙間ができる。給紙トレイ３の開口部３ｂから用紙Ｐを差し込み、給紙トレイＰ上の用紙Ｐあるいは給紙トレイ３の載置面に沿って挿入する。その際、用紙Ｐの先端が給紙ローラ６ｂに当たることがないので、用紙Ｐを容易に継ぎ足すことができる。
【００５５】
カバー部材４１を被覆位置としたときには、アーム部材６ａの付勢力により揺動し、図７（ｂ）に示すように、給紙ローラ６ｂが用紙Ｐに接触する。給紙ローラ６ｂが回転されると、再び、用紙Ｐが搬送経路９に沿って搬送される。
【００５６】
このように、第２実施形態の場合でも、リンク部材５１を設けた簡単な構成で、用紙Ｐの継ぎ足しが容易になると共に、装置本体２の外側に突出した給紙トレイ３の開口部３ｂを覆うことができるので、塵や埃の侵入を防止できる。
【００５７】
以上本発明はこの様な実施形態に何等限定されるものではなく、本発明の要旨を逸脱しない範囲において種々なる態様で実施し得る。
【図面の簡単な説明】
【００５８】
【図１】本発明の一実施形態としてのカバー部材を閉塞位置とし、給紙トレイを収納位置とした状態の画像記録装置を用いた複合機の外観を表す斜視図である。
【図２】本実施形態のカバー部材を被覆位置とし、給紙トレイを突出位置とした状態の画像記録装置を用いた複合機の外観を表す斜視図である。
【図３】本実施形態の複合機の拡大側断面図である。
【図４】本実施形態のカバー部材、リンク部材、アーム部材、給紙ローラの斜視図である。
【図５】本実施形態の揺動するカバー部材とアーム部材との関係を示す説明図である。
【図６】第２実施形態のカバー部材、リンク部材、アーム部材、給紙ローラの斜視図である。
【図７】第２実施形態の揺動するカバー部材とアーム部材との関係を示す説明図である。
【符号の説明】
【００５９】
１…複合機        ２…装置本体
２ａ…開口部      ３…給紙トレイ
３ａ…取手部      ３ｂ…開口部
４…記録ヘッド    ６ａ…アーム部材
６ｂ…給紙ローラ  ６ｄ…支持軸
６ｅ…突部        ７…記録機構
９…搬送経路      １０…排紙部
１０ａ…排紙口    １０ｂ…排紙トレイ
１１…給紙部      １２…画像読取装置
１５…画像記録装置    １８…密着型イメージセンサ
２６…プラテン    ４１…カバー部材
４１ａ…支点軸    ４１ｂ…アーム部
４１ｃ…ピン部    ４２，５１…リンク部材
４２ａ…揺動ピン  ５１ａ…長穴
５１ｂ…カム部    Ｐ…用紙
【図１】
2008007311.tif 000003
【図２】
2008007311.tif 000004
【図３】
2008007311.tif 000005
【図４】
2008007311.tif 000006
【図５】
2008007311.tif 000007
【図６】
2008007311.tif 000008
【図７】
2008007311.tif 000009